(57)【特許請求の範囲】
【請求項１】
出入口のドアに形成されたピボット穴と、出入口枠に固定された固定体と、固定体側からピボット穴に対し出入可能なピボット軸と、ピボット軸をスライド自在に支持する固定体に形成されたスライド穴と、ピボット軸に連結される固定体に支持されたレバーと、固定体の内側に螺進するときにレバーを介しピボット軸をピボット穴内に突出させ固定体の外側に螺進するときにレバーを介しピボット軸をピボット穴外に離脱させる固定体のネジ穴に螺合したレバー操作ネジとを具備してなるピボット軸操作装置において、レバー操作ネジが固定体の内側に没入した状態で固定体のネジ穴の開口部に装着されるインジケータ部材を備え、インジケータ部材はレバー操作ネジを抜け止めする筒片を有し、レバー操作ネジは筒片内に入り込み可能であることを特徴とするピボット軸操作装置。
【請求項２】
請求項１に記載のピボット軸操作装置において、インジケータ部材の中央にレバー操作ネジよりも小径の工具挿入穴が形成されたことを特徴とするピボット軸操作装置。
【請求項３】
請求項１に記載のピボット軸操作装置において、インジケータ部材にレバー操作ネジの状態を見るための覗き穴が形成されたことを特徴とするピボット軸操作装置。
【請求項４】
請求項１乃至請求項３のいずれかに記載のピボット軸操作装置において、固定体はレバー操作ネジが貫通する貫通穴を有した化粧板を備え、インジケータ部材は化粧板の貫通穴の縁を挟み込む第１及び第２のフランジ片を備えたことを特徴とするピボット軸操作装置。
【発明の詳細な説明】
【０００１】
【発明の属する技術分野】
本発明は、ピボットヒンジに用いられるピボット軸操作装置に関する。
【０００２】
【従来の技術】
建築物の出入口のドアは壁等と一体の出入口枠にピボットヒンジを介して取り付けられる場合がある。特開２００１−９０４２５はピボットヒンジの一例について開示する。このピボットヒンジは、次のような構成のピボット軸操作装置を備えている。すなわち、出入口のドアに形成されたピボット穴と、出入口枠に固定された固定体と、固定体側からピボット穴に対し出入可能なピボット軸と、ピボット軸をスライド自在に支持する固定体に形成されたスライド穴と、ピボット軸に連結される固定体に支持されたレバーと、固定体の内側に螺進するときにレバーを介しピボット軸をピボット穴内に突出させ固定体の外側に螺進するときにレバーを介しピボット軸をピボット穴外に離脱させる固定体に螺合したレバー操作ネジとを具備している。レバー操作ネジを一方に回して固定体の内側へと螺進させると、レバーが一方の向きに回動してピボット軸をピボット穴内に侵入させる。これにより、ピボットヒンジが結合し、ドアはピボット軸を支点にして開閉可能になる。また、レバー操作ネジを逆向きに回して固定体の外側に螺進させると、レバーが他方の向きに回動してピボット軸をピボット穴から離脱させる。これにより、ピボットヒンジが分離され、ドアは出入口枠から取り外し可能になる。
【０００３】
【発明が解決しようとする課題】
従来のレバー操作ネジのネジ穴は、ドアが出入口枠に取り付けられた後は、化粧板により完全に遮蔽される。そのため、一旦ドアの取り付け工事が完了した後は、レバー操作ネジの締め付け具合、レバー操作ネジの存否等について確認することができない。その確認のためには、逐一化粧板を取り外さなければならず面倒である。また、修理等のためにドアを出入口枠から外す場合も逐一化粧板を取り外さなければならず面倒である。
【０００４】
本発明の目的は、レバー操作ネジの締め付け具合、レバー操作ネジの存否等を簡易に確認することができ、また修理等に際しドアを出入口枠から簡易かつ迅速に外すことができるピボット軸操作装置を提供することにある。
【０００５】
【課題を解決するための手段】
上述した課題を解決するために、請求項１に係る発明は、出入口のドア（１）に形成されたピボット穴（２）と、出入口枠（３）に固定された固定体（４）と、固定体（４）側からピボット穴（２）に対し出入可能なピボット軸（５）と、ピボット軸（５）をスライド自在に支持する固定体（４）に形成されたスライド穴（６）と、ピボット軸（５）に連結される固定体（４）に支持されたレバー（７）と、固定体（４）の内側に螺進するときにレバーを介しピボット軸（５）をピボット穴（２）内に突出させ固定体（４）の外側に螺進するときにレバー（７）を介しピボット軸（５）をピボット穴（２）外に離脱させる固定体（４）のネジ穴（８ｂ）に螺合したレバー操作ネジ（８）とを具備してなるピボット軸操作装置において、レバー操作ネジ（８）が固定体（４）の内側に没入した状態で固定体（４）のネジ穴（８ｂ）の開口部に装着されるインジケータ部材（２３，２５）を備え、インジケータ部材（２７）はレバー操作ネジ（８）を抜け止めする筒片（３０）を有し、レバー操作ネジ（８）は筒片（３０）内に入り込み可能であるピボット軸操作装置を採用する。
【０００６】
また、請求項２に係る発明は、請求項１に記載のピボット軸操作装置において、インジケータ部材（２３，２５）の中央にレバー操作ネジ（８）よりも小径の工具挿入穴（２４，２６）が形成されたピボット軸操作装置を採用する。
【０００７】
また、請求項３に係る発明は、請求項１に記載のピボット軸操作装置において、インジケータ部材（２３，２５）にレバー操作ネジ（８）の状態を見るための覗き穴（２４，２６）が形成されたピボット軸操作装置を採用する。
【０００８】
また、請求項４に係る発明は、請求項１乃至請求項３のいずれかに記載のピボット軸操作装置において、固定体（４）はレバー操作ネジ（８）が貫通する貫通穴（２２）を有した化粧板（１８）を備え、インジケータ部材（２７）は化粧板（１８）の貫通穴（２２）の縁を挟み込む第１及び第２のフランジ片（２８，２９）を備えたピボット軸操作装置を採用する。
【０００９】
【発明の実施の形態】
以下、本発明に係るピボット軸操作装置の実施の形態について添付図面を参照して詳述する。
【００１０】
＜実施の形態１＞
図１乃至図３に示すように、このピボット軸操作装置は、出入口のドア１に形成されたピボット穴２と、出入口枠３に固定された固定体４と、固定体４側からピボット穴２に対し出入可能なピボット軸５と、ピボット軸５をスライド自在に支持する固定体４に形成されたスライド穴６と、ピボット軸５に連結される固定体４に支持されたレバー７と、固定体４の内側に螺進するときにレバー７を介しピボット軸５をピボット穴２内に突出させ固定体４の外側に螺進するときにレバー７を介しピボット軸５をピボット穴２外に離脱させる固定体４に螺合したレバー操作ネジ８とを具備する。
【００１１】
ピボット穴２は、図２に示すように、ピボット軸５に対して回動可能に支持する軸受の穴としてドア１の上端に形成される。図示しないが、ドア１の下端にも同様なピボット穴が形成される。
【００１２】
固定体４は略長方形の板材で形成される。この固定体４は、出入口枠３におけるドア１の上縁に対向する面に固定ネジ等の所望の固定手段により固定される。出入口枠３の固定体４よりも上側には、このピボット軸５の操作装置を収納するための空洞が設けられている。
【００１３】
ピボット軸５は丸棒等の棒材で形成される。固定体４にはピボット軸５がドア１側に向かってスライドするスライド穴６が筒体１０によって付与される。固定体４には嵌合穴が形成され、この嵌合穴に筒体１０が出入口枠３側から嵌め込まれ、固定体４と一体化される。ピボット軸５はスライド穴６内を固定体４に対し垂直方向にスライドし、固定体４の下面から出没することでピボット穴２に対し出入する。
【００１４】
レバー７は固定体４の上方をその長さ方向に沿って伸び、固定体４に設けられたブラケット１１に水平軸１２を介して上下方向に回動可能に支持される。レバー７の水平軸１２を中心にした片側は筒体１０の方に伸び、その細い棒状の先端が筒体１０の側面に形成された縦溝１３を筒体１０内へと貫通し、ピボット軸５の側面に形成された横穴１４内に入り込む。このため、レバー７が水平軸１２を支点にして上下に回動すると、ピボット軸５がスライド穴６内を上下にスライドする。
【００１５】
また、レバー７の水平軸１２を中心にしたピボット軸５側の中間部には、固定体４に向かって突出するインジケータ片１５が形成される。固定体４にはインジケータ片１５に対応してインジケータ片１５の出入穴１６が形成される。ピボット軸５がピボット穴２内に適正に入ると、図２のごとくインジケータ片１５が出入穴１６内に侵入し、インジケータ片１５の先端が固定体４の出入穴１６から覗いているのを固定体４の下方から視認することができる。ピボット軸５がピボット穴２から離脱するか又はピボット軸５のピボット穴２への侵入が不完全であると、図１のごとくインジケータ片１５が出入穴１６内に少しだけ侵入するか又は出入穴１６の中程までしか侵入せず、インジケータ片１５の先端を固定体４の出入穴１６外から明確に視認することができない。
【００１６】
レバー操作ネジ８は固定体４を上下に貫通するように設けられ、その上端がレバー７における水平軸１２を中心にした他の片側に玉継手１７を介し連結されている。レバー操作ネジ８のネジ軸８ａの雄ネジは固定体４に垂直に形成されたネジ穴８ｂの雌ネジに螺合している。ネジ軸８ａの下端にはねじ回し用ドライバ等の工具（図示せず）を挿入するための溝８ｃが形成される。溝８ｃに工具を挿入してレバー操作ネジ８を固定体４の内側に螺進するように回すと、レバー７が図２に示すように水平軸１２の回りを反時計方向に回動し、ピボット軸５をピボット穴２に侵入させる。レバー操作ネジ８が固定体４の外側に螺進するようにレバー操作ネジ８を逆方向に回すと、レバー７が図１に示すように水平軸１２の回りを時計方向に回動し、ピボット軸５をピボット穴２から離脱させる。
【００１７】
また、図１乃至図３に示すように、固定体４のドア１に対向する面には化粧板１８が必要に応じて取り付けられる。化粧板１８は止めネジ１９により固定体４に固定され、固定体４から覗く筒体１０の端面、ブラケット１１の切り出し部等を遮蔽する。化粧板１８には、筒体１０のスライド穴６に連通するガイド穴２０、インジケータ片１５の出入穴１６に連通する窓穴２１、レバー操作ネジ８が貫通する貫通穴２２が夫々設けられ、各穴からピボット軸５、インジケータ片１５、レバー操作ネジ８が露出する。
【００１８】
このピボット軸５の操作装置には、図２及び図３に示すように、ピボット軸５がピボット穴２に完全に挿入されたことを表示するためのインジケータ部材であるインジケータキャップ２３が設けられる。すなわち、レバー操作ネジ８が固定体４内に没入した状態において、円盤状のインジケータキャップ２３がネジ穴８ｂの開口部に装着される。インジケータキャップ２３がネジ穴８ｂの開口部に装着されていることでドア１のピボット穴２にピボット軸５が適正に挿入されていることが外部から視認される。インジケータキャップ２３は化粧板１８の下から化粧板１８の貫通穴２２の縁に嵌め込まれ固定される。この貫通穴２２にはインジケータキャップ２３をより強固に保持するため、図２に示すように逆テーパ面を形成してもよい。また、化粧板１８が省略される場合等においてはインジケータキャップ２３を固定体４のネジ穴８ｂに嵌め込むようにして固定体４に直に取り付けても良い。インジケータキャップ２３の存在を視認しやすくするため、インジケータキャップ２３に彩色しておいてもよい。
【００１９】
また、インジケータキャップ２３の中央には、望ましくはレバー操作ネジ８のネジ軸８ａよりも小径の工具挿入穴２４が形成される。これにより、工具を工具挿入穴２４からネジ穴８ｂ内に挿入してレバー操作ネジ８の溝８ｃに係止し、レバー操作ネジ８を緩めると、図１に示すように、ピボット軸５をピボット穴２から筒体１０内へと抜き取ると同時にインジケータキャップ２３を固定体４から除去することができる。この工具挿入穴２４はレバー操作ネジ８の状態を見るための覗き穴としても機能する。覗き穴からレバー操作ネジ８の存否又はレバー操作ネジ８の下端の位置を観察することで、ピボット軸５とピボット穴２との係合状態の良否を判別することができる。
【００２０】
次に、上記構成のピボット軸操作装置の作用を説明する。
【００２１】
ドア１を出入口枠３に取り付ける場合、ピボット軸５とその操作装置を図１に示す状態にセットし、ドア１のピボット穴２を出入口枠３におけるピボット軸５のスライド穴６に臨ませる。
【００２２】
次いで、図１に示すレバー操作ネジ８の溝８ｃにドライバ等の工具を挿入し、レバー操作ネジ８を固定体４の内側へと螺進させる。これにより、図２に示すようにレバー７が水平軸１２の回りを反時計方向に回動し、ピボット軸５を下方へ押し下げる。ピボット軸５はスライド穴６に案内されて固定体４の下方へ突出し、ドア１のピボット穴２内へと侵入する。
【００２３】
図２に示すように、ピボット軸５がピボット穴２内に適正に入り込むと、レバー操作ネジ８のネジ軸８ａは完全に固定体４の内側へと没する。そこで、ピボット軸５とピボット穴２との係合が完了したことを印すため、インジケータキャップ２３が固定体４のネジ穴８ｂの開口部に装着される。インジケータキャップ２３はネジ穴８ｂに嵌め込んで固定しても良いし、化粧板１８の貫通穴２２に嵌め込んで固定してもよい。
【００２４】
その他、ドア１の下側のピボット穴にも床側のピボット軸が挿入されており、これによりドア１はピボットヒンジを支点にして回動可能になり、出入口を開閉可能となる。
【００２５】
インジケータキャップ２３はドア１の上縁と出入口枠３との隙間に収まり、従ってドア１はインジケータキャップ２３に干渉されることなく開閉可能である。また、ドア１を開けた際にインジケータキャップ２３の存否を点検することでピボット軸５がピボット穴２に適正に挿入されているか否かを確認することができる。また、インジケータキャップ２３に工具挿入穴２４が形成されている場合は、この穴を覗き穴としてレバー操作ネジ８の状態を見ることができ、レバー操作ネジ８の締め具合等を随時点検することができる。
【００２６】
また、図２に示すように、ピボット軸５がピボット穴２内に適正に入り込むと、レバー７のインジケータ片１５が固定体４の出入穴１６内に侵入し、その先端が化粧板１８の窓穴２１から視認可能となる。これによってもピボット軸５とピボット穴２との係合状態を確認することができる。
【００２７】
ドア１の修理、保守、点検等に際しドア１を出入口枠３から外すには、インジケータキャップ２３の工具挿入穴２４から工具を挿入し、レバー操作ネジ８を直ちに回すことができる。これにより、図１に示すように、ピボット軸５をピボット穴２から速やかに抜き取り、ドア１を出入口枠３から取り外すことができる。ピボット軸５をピボット穴２から引き抜く向きにレバー操作ネジ８を回す場合、工具挿入穴２４はレバー操作ネジ８のネジ軸８ａよりも小径に形成されていることから、インジケータキャップ２３がレバー操作ネジ８に押されて固定体４から取り除かれる。このため、インジケータキャップ２３の固定体４への残留が防止され誤表示が防止される。インジケータキャップ２３はドア１が出入口枠３に装着された後、レバー操作ネジ８のネジ穴８ｂの開口部に再度装着される。
【００２８】
＜実施の形態２＞
図４及び図５に示すように、この実施の形態２におけるピボット軸操作装置は実施の形態１のものと略同様な構成を備えるが、インジケータ部材が粘着シートで形成されたインジケータシール２５である点で相違する。
【００２９】
図４に示すレバー操作ネジ８の溝８ｃにドライバ等の工具を挿入し、レバー操作ネジ８を固定体４の内側へと螺進させると、図５に示すようにピボット軸５がピボット穴２内に入り込みレバー操作ネジ８のネジ軸８ａが固定体４の内側へと完全に没する。そこで、ピボット軸５とピボット穴２との係合が完了したことを印すため、インジケータシール２５が固定体４のネジ穴８ｂの開口部に貼着される。インジケータシール２５は化粧板１８の貫通穴２２を塞ぐように化粧板１８に貼着されるが、化粧板１８が省略される場合は固定体４に貼着される。
【００３０】
インジケータシール２５はドア１の上縁と出入口枠３との隙間に収まり、従ってインジケータシール２５はドア１に干渉されて剥がれ落ちることはない。ドア１を開けた際にインジケータシール２５の存否を点検することでピボット軸５がピボット穴２に適正に挿入されているか否かを確認することができる。また、インジケータシール２５に工具挿入穴２６が形成されている場合は、この穴を覗き穴としてレバー操作ネジ８の状態を見ることができ、レバー操作ネジ８の締め具合等を随時点検することができる。
【００３１】
また、ドア１の修理、保守、点検等に際しドア１を出入口枠３から外すには、工具挿入穴２６から工具を挿入し、レバー操作ネジ８を直ちに回すことができる。これにより、図４に示すように、ピボット軸５をピボット穴２から速やかに抜き取り、ドア１を出入口枠３から取り外すことができる。ピボット軸５をピボット穴２から引き抜く向きにレバー操作ネジ８を回す場合、工具挿入穴２６はレバー操作ネジ８のネジ軸８ａよりも小径に形成されていることから、インジケータシール２５がレバー操作ネジ８に押されて固定体４から剥がし取られる。このため、インジケータシール２５の固定体４への残留が防止され誤表示が防止される。インジケータシール２５はドア１が出入口枠３に装着された後、レバー操作ネジ８のネジ穴８ｂの開口部に再度装着される。
【００３２】
＜実施の形態３＞
図６及び図７に示すように、この実施の形態３におけるピボット軸操作装置は実施の形態１のものと略同様な構成を備えるが、インジケータ部材がレバー操作ネジ８の抜け止め手段を備えた点で相違する。
【００３３】
インジケータ部材であるインジケータキャップ２７は、レバー操作ネジ８が固定体４内に没入した状態においてネジ穴８ｂの開口部に装着されるリングであり、工具挿入穴２４を中央部に有し、化粧板１８に穿設された貫通穴２２の下開口縁に係止される下フランジ片２８と貫通穴２２の上開口縁に係止される上フランジ片２９とを外周部に有し、レバー操作ネジ８の下端に臨む筒片３０を上部に有し、半径方向に伸びる切欠３１を所定箇所に有する。
【００３４】
筒片３０はレバー操作ネジ８の抜け止め手段として機能するように、インジケータキャップ２７が貫通穴２２に嵌め込まれた状態において、レバー操作ネジ８が緩んだ場合にレバー操作ネジ８の下端が筒内に侵入しうるように形成される。具体的には、筒片３０はその内径Ｂがレバー操作ネジ８の外径と略同じか又はやや大きくなるように形成され、レバー操作ネジ８が緩んで降下すると、その下端が筒片３０の空洞内に入り込むようになっている。筒片３０内にレバー操作ネジ８の下端が入り込むと筒片３０が小径となることを阻止され、上フランジ部３１の外径が貫通穴２２の径Ｃよりも小径とならず、インジケータキャップ２７の脱落が阻止され、これによりレバー操作ネジ８の抜けが防止される。
【００３５】
インジケータキャップ２７の工具挿入穴２４からレバー操作ネジ８の締付け状態を確認することができる。更に、工具を工具挿入穴２４からネジ穴８ｂ内に挿入してレバー操作ネジ８を増し締めする等の調整をすることができる。
【００３６】
下フランジ片２８と上フランジ片２９はいずれも環状、凹凸状等の所望の形状に形成され、下フランジ片２８の外径と上フランジ片２９の外径Ｃはいずれも化粧板１８の貫通穴２２の内径Ａよりも大きく、インジケータキャップ２７が貫通穴２２に挿入されると、上下のフランジ片２９，２８が貫通穴２２の内外縁を挟み込み、インジケータキャップ２７を貫通穴２２に固定する。
【００３７】
インジケータキャップ２７を化粧板１８の下から貫通穴２２の縁に嵌め込みやすくするため、上フランジ片２９はその外径Ｄが貫通穴２２の径Ｃよりも少しだけ大きくなるように形成され、また上フランジ片２９とストッパ片３０との間における貫通穴２２の縁に対向する箇所には斜面３１が形成される。
【００３８】
【発明の効果】
請求項１の発明によれば、出入口のドアに形成されたピボット穴と、出入口枠に固定された固定体と、固定体側からピボット穴に対し出入可能なピボット軸と、ピボット軸をスライド自在に支持する固定体に形成されたスライド穴と、ピボット軸に連結される固定体に支持されたレバーと、固定体の内側に螺進するときにレバーを介しピボット軸をピボット穴内に突出させ固定体の外側に螺進するときにレバーを介しピボット軸をピボット穴外に離脱させる固定体に螺合したレバー操作ネジとを具備してなるピボット軸操作装置において、レバー操作ネジが固定体の内側に没入した状態で固定体のネジ穴の開口部に装着されるインジケータ部材を備えたことから、インジケータ部材を随時視認することでピボット軸とピボット穴との係合状態を簡易に確認することができる。また、インジケータ部材の筒片がレバー操作ネジを抜け止めするので、レバー操作ネジひいてはピボット軸を常時適正位置に保持することができる。
【００３９】
請求項２の発明によれば、請求項１に記載のピボット軸操作装置において、インジケータ部材の中央にレバー操作ネジよりも小径の工具挿入穴が形成されたことから、レバー操作ネジを緩めピボット軸をピボット穴からの抜き取ると同時にインジケータ部材をネジ穴から除去することができる。従って、インジケータ部材の固定体への残留が防止され誤表示が防止される。
【００４０】
請求項３の発明によれば、請求項１に記載のピボット軸操作装置において、インジケータ部材にレバー操作ネジの状態を見るための覗き穴が形成されたことから、覗き穴からレバー操作ネジの存否又はレバー操作ネジの下端の位置を観察することで、ピボット軸とピボット穴との係合状態の良否を簡易に判別することができる。
【００４１】
請求項４の発明によれば、請求項１乃至請求項３のいずれかに記載のピボット軸操作装置において、インジケータ部材が化粧板の貫通穴に挿入されると、第１及び第２のフランジ片が貫通穴の縁を挟み込み、インジケータ部材を貫通穴に固定する。
【図面の簡単な説明】
【図１】本発明の実施の形態１に係るピボット軸操作装置を示す垂直断面図であり、ピボット軸をピボット穴から離脱させた状態を示す。
【図２】ピボット軸をピボット穴に挿入した状態で示すピボット軸操作装置の垂直断面図である。
【図３】ピボット軸操作装置の底面図である。
【図４】本発明の実施の形態２に係るピボット軸操作装置を示す垂直断面図であり、ピボット軸をピボット穴から離脱させた状態を示す。
【図５】ピボット軸をピボット穴に挿入した状態で示すピボット軸操作装置の垂直断面図である。
【図６】本発明の実施の形態３に係るピボット軸操作装置の垂直断面図であり、ピボット軸をピボット穴に挿入した状態を示す。
【図７】ピボット軸操作装置の底面図である。
【符号の説明】
１…ドア
２…ピボット穴
３…出入口枠
４…固定体
５…ピボット軸
６…スライド穴
７…レバー
８…レバー操作ネジ
８ｂ…ネジ穴
２３…インジケータキャップ
２５…インジケータシール
３０…筒片
【図１】
0003842662.tif 000002
【図２】
0003842662.tif 000003
【図３】
0003842662.tif 000004
【図４】
0003842662.tif 000005
【図５】
0003842662.tif 000006
【図６】
0003842662.tif 000007
【図７】
0003842662.tif 000008